(57)【特許請求の範囲】
【請求項１】
薬液が収容される中空状の収容部が板状のベースに形成された容器本体部と、
前記収容部と連続される円筒状の首部を介して、前記収容部に連接される蓋部と、
この蓋部に連接され、前記蓋部を前記首部から切り離す際の摘み部とを備え、
前記蓋部は、下方へ開口する円筒状とされ、下端部に、径方向内側へ円環状の延出部が形成され、
前記延出部と前記首部との間が破断可能に連接されており、前記蓋部を前記首部から切り離した後、前記蓋部の上壁が前記首部の上端部開口を閉塞するまで、前記蓋部を前記首部にはめ込み、前記延出部が前記蓋部の内側へ弾性変形しつつ前記首部の外周面に密着して蓋をすることができる
ことを特徴とする薬液容器。
【請求項２】
前記首部の外周面には、前記首部にはめ込まれた前記蓋部が抜けるのを規制する係止部が形成されている
ことを特徴とする請求項１に記載の薬液容器。
【請求項３】
前記係止部は、前記首部の外周面から径方向外側への突出部とされ、
この突出部は、前記首部の下方へ行くに従って径方向外側へ延出する傾斜面を有し、
前記首部に前記蓋部をはめ込む際、前記延出部が前記傾斜面の作用で前記突出部を乗り越えた後、前記延出部の先端部が前記突出部に当たり、前記容器本体部に対して前記蓋部が下方へ押し込まれ、前記首部の上端部開口に前記蓋部の上壁が押し付けられる
ことを特徴とする請求項２に記載の薬液容器。
【発明の詳細な説明】
【技術分野】
【０００１】
本発明は、内部に薬液が封入される薬液容器に関するものであり、特に、リキャップできる薬液容器に関するものである。
【背景技術】
【０００２】
出願人は先に、下記特許文献１に開示される薬液容器を提案している。この薬液容器では、容器本体（１）と摘み部（２）とが破断可能に連接されており、容器本体（１）に対して摘み部（２）をねじることで、容器本体（１）から摘み部（２）が切り離されて開封される。ここで、括弧書きの符号は、下記特許文献１中における符号である。
【０００３】
ねじ切って開封する従来の薬液容器は、一回で使い捨てることを特徴としたものであり、開封後に再度蓋をすることができないもの、すなわちリキャップできないものである。従って、従来の薬液容器は、薬液を数回に分けて使用して使い切るのに不向きであった。
【先行技術文献】
【特許文献】
【０００４】
【特許文献１】特開２００４−８３１１５号公報
【発明の概要】
【発明が解決しようとする課題】
【０００５】
本発明が解決しようとする課題は、リキャップ可能とし、これにより薬液を使い切ることができる薬液容器を提供することにある。
【課題を解決するための手段】
【０００６】
本発明は、前記課題を解決するためになされたもので、請求項１に記載の発明は、薬液が収容される中空状の収容部が板状のベースに形成された容器本体部と、前記収容部と連続される円筒状の首部を介して、前記収容部に連接される蓋部と、この蓋部に連接され、前記蓋部を前記首部から切り離す際の摘み部とを備え、前記蓋部は、下方へ開口する円筒状とされ、下端部に、径方向内側へ円環状の延出部が形成され、前記延出部と前記首部との間が破断可能に連接されており、前記蓋部を前記首部から切り離した後、前記蓋部の上壁が前記首部の上端部開口を閉塞するまで、前記蓋部を前記首部にはめ込み、前記延出部が前記蓋部の内側へ弾性変形しつつ前記首部の外周面に密着して蓋をすることができることを特徴とする薬液容器である。
【０００７】
請求項１に記載の発明によれば、首部から切り離された蓋部を用いて、首部の上端部開口を閉塞することができる。つまり、開封後に再度蓋をするリキャップが可能とされている。
【０００８】
請求項２に記載の発明は、前記首部の外周面には、前記首部にはめ込まれた前記蓋部が抜けるのを規制する係止部が形成されていることを特徴とする請求項１に記載の薬液容器である。
【０００９】
請求項２に記載の発明によれば、首部の外周面に形成された係止部によって、蓋部が不意に首部から抜けるのを防止できる。
【００１０】
さらに、請求項３に記載の発明は、前記係止部は、前記首部の外周面から径方向外側への突出部とされ、この突出部は、前記首部の下方へ行くに従って径方向外側へ延出する傾斜面を有し、前記首部に前記蓋部をはめ込む際、前記延出部が前記傾斜面の作用で前記突出部を乗り越えた後、前記延出部の先端部が前記突出部に当たり、前記容器本体部に対して前記蓋部が下方へ押し込まれ、前記首部の上端部開口に前記蓋部の上壁が押し付けられることを特徴とする請求項２に記載の薬液容器である。
【００１１】
請求項３に記載の発明によれば、首部の上端部開口に蓋部の上壁が押し付けられるため、首部の上端部開口をより確実に閉塞することができる。
【発明の効果】
【００１２】
本発明の薬液容器によれば、リキャップ可能とし、これにより薬液を使い切ることができる。
【図面の簡単な説明】
【００１３】
【図１】本発明の薬液容器の実施例１を示す正面図である。
【図２】図１の薬液容器の平面図である。
【図３】図１の薬液容器の斜視図である。
【図４】図１におけるＸ−Ｘ断面図である。
【図５】図１の薬液容器の上部拡大断面図であり、開封された状態を示している。
【図６】図１の薬液容器の上部拡大断面図であり、開封後に蓋がされた状態を示している。
【図７】本発明の薬液容器の実施例２を示す正面図である。
【図８】図７の薬液容器の平面図である。
【図９】図７の薬液容器の斜視図である。
【図１０】図７におけるＹ−Ｙ断面図である。
【図１１】図８におけるＺ−Ｚ断面図であり、一部を拡大して示すと共に、一部を省略して示している。
【図１２】図７の薬液容器の上部拡大断面図であり、開封された状態を示している。
【図１３】図７の薬液容器の上部拡大断面図であり、開封後に蓋がされた状態を示している。
【発明を実施するための形態】
【００１４】
以下、本発明の具体的実施例を図面に基づいて詳細に説明する。
【実施例１】
【００１５】
図１から図４は、本発明の薬液容器の実施例１を示す図であり、図１は正面図、図２は平面図、図３は斜視図、図４は図１におけるＸ−Ｘ断面図である。図５および図６は、図１の薬液容器の上部拡大断面図であり、図５は開封された状態、図６は開封後に蓋がされた状態を示している。
【００１６】
本実施例の薬液容器１は、薬液２が収容される中空状の収容部３が板状のベース４に形成された容器本体部５と、収容部３と連続される円筒状の首部６を介して収容部３に連接される蓋部７と、蓋部７を首部６から切り離す際の摘み部８とを備える。本実施例の薬液容器１は、正面視略長方形状とされ、上下長さが約６７ｍｍ、左右幅が約１０ｍｍに形成されており、透明とされる。
【００１７】
本実施例の薬液容器１は、樹脂管（パリソン）がブロー成形により一体的に成形されたものであり、その内部に薬液が充填、密封されている。かかる薬液容器はいわゆるブロー・フィル・シールシステム（ＢＦＳシステム）と称される、容器の成形と薬液の充填、密封を同時に行なうシステムにより製造される。かかるＢＦＳシステムでは、パリソンを金型で挟んだ状態で空気を吹き込んで金型壁面に樹脂を密着させることにより容器を成形する手段（本明細書では、かかる手段を「ダイレクトブロー成形」と呼ぶ）、または金型の各所に孔径０．３ｍｍ程度の細孔を設け、この細孔を通じて金型とパリソンの間の隙間を吸引して真空若しくは減圧状態にして金型壁面に樹脂を密着させることにより容器を成形する手段（本明細書では、かかる手段を「吸引成形」と呼ぶ）を単独で若しくは組み合わせることにより薬液容器が製造される。一般的には、大型〜中型の薬液容器を製造する場合には、ダイレクトブロー成形が主として用いられ、小型の薬液容器を製造する場合には、吸引成形が主として用いられる。
【００１８】
本実施例の薬液容器１は、低密度ポリエチレンからなるパリソンが上述した吸引成形により一体的に成形されたものである。薬液容器１の原料樹脂は、通常の薬液容器に使用される熱可塑性樹脂であれば特に限定されるものではないが、成形の容易性、製造コスト等を考慮すると、例えばポリエチレン、ポリプロピレン、酢酸ビニル共重合体、ポリスチレン、ポリエチレンテレフタレート等を使用することが好ましい。また、これらの原料樹脂は単層でも多層でも使用することができる。
【００１９】
収容部３は、上方へ開口した横断面略小判形の筒状に形成されている。収容部３の上端部は、テーパ状に絞られて先細りに形成されている。収容部３のテーパ状に絞られた上端部には、前後両部に凹部９が形成されている。各凹部９は、収容部３の左右方向略中央に形成されている。図３に示すように、凹部９は、段差状に形成され、略矩形状の底面１０と、底面１０の左右両側に形成される略三角形状の立上り面１１，１１と、底面１０の後側に形成される略矩形状の立上り面１２とから構成されている。収容部３の底面は、緩やかな円弧状に下方へ膨出して形成されている。なお、収容部３は、薬液２の滴下の便宜を考慮して、薄肉で押圧変形可能に形成されることが好ましい。
【００２０】
収容部３内に封入される薬液２は、点眼に用いられる点眼液とされる。収容部３内に封入される薬液２は、特に限定されるものではないが、通常は、点眼用、点鼻用、点耳用および滴下、投与量を一定に維持する必要のある薬液が封入される。
【００２１】
このような構成の収容部３は、板状のベース４の上部に形成されている。具体的には、ベース４内に、ベース４から前方および後方へ膨出して収容部３が形成されている。ベース４は、上下方向が長手方向とされる略長方形の板状に形成されている。ベース４は、収容部３よりも下部側の領域が、前後方向に厚く形成されている。本実施例では、その下部側の厚板部１３は、中空状に形成されているが、中実状に形成してもよい。
【００２２】
首部６は、上方へ行くに従って徐々に縮径する円筒状とされ、その軸線を上下方向に沿って配置されている。首部６の上端部は、さらにテーパ状に絞られて形成されている。首部６の前後両部には、略楕円形状の凹部１４が形成されている。各凹部１４は、首部６の左右方向略中央部に形成されている。首部６は、収容部３の上端部から上方へ突出するように、収容部３と連続している。この際、首部６の内穴は、収容部３の上端部開口を介して、収容部３と連通されている。
【００２３】
蓋部７は、下方へ開口した短円筒状に形成されており、下端部には、径方向内側へ水平に延出して円環状の延出部１５が形成されている。蓋部７は、首部６の上端部開口１６を閉塞するように、首部６に連接されている。具体的には、蓋部７の延出部１５の内周縁部と、首部６の上端部とが連接されており、延出部１５と首部６の上端部外周壁とで断面略Ｖ字状の溝１７が形成されている。この溝１７の最深部は、その他の箇所と比較して十分に薄肉状に形成されている。そのため、蓋部７の延出部１５と首部６の上端部とは、容易に切り離すことができる。すなわち、蓋部７と首部６との間は、破断可能に連接されている。ところで、蓋部７の延出部１５は、前述したように、首部６のテーパ状に絞られた上端部に連接されている。従って、延出部１５の内径は、首部６の上端部を除いた箇所の外径よりも十分小さい。
【００２４】
摘み部８は、下方へ開口した略コ字形の板状とされ、下端部と内側縁部とを除いた部分が、前後方向に厚く形成されている。本実施例では、図４や図６に示すとおり、摘み部８の上部１８は、中空状に形成されているが、中実状に形成してもよい。
【００２５】
摘み部８は、上下方向に沿って配置され、蓋部７の外面を取り囲むように連接されている。さらに、摘み部８は、線状の薄肉部１９，１９を介して、ベース４および首部６に連接されている。具体的には、摘み部８の左側の下部が、一方の薄肉部１９を介して、収容部３の左側のベース４上端部および首部６の外周面左側部と連接されていると共に、摘み部８の右側の下部が、他方の薄肉部１９を介して、収容部３の右側のベース４上端部および首部６の外周面右側部と連接されている。そのため、摘み部８は、薄肉部１９に沿って破断することができる。なお、薄肉部１９は、上端部において、蓋部７の延出部１５の下面に沿って左右方向に延出している。すなわち、蓋部７の延出部１５の下面と摘み部８との間にまで薄肉部１９が延出して形成されている。
【００２６】
以上のような構成の薬液容器１は、摘み部８の上部１８を摘まんで、容器本体部５に対して摘み部８をねじることで、薄肉部１９に沿ってベース４および首部６から摘み部８が破断されると共に、首部６から蓋部７が破断されて開封される。そして、収容部３内の点眼液が適量使用される。使用後、収容部３内に点眼液が残っている場合には、蓋部７を用いて蓋をすることができる。具体的には、ベース４と摘み部８とが垂直に交差した状態で、蓋部７が首部６に上方からはめ込まれる。
【００２７】
蓋部７は、その上壁２０が首部６の上端部開口１６を閉塞するまで、首部６にはめ込まれる。この際、蓋部７は、前述したように、延出部１５の内径が首部６の上端部を除いた箇所の外径よりも十分小さく、延出部１５の下面に沿って形成された薄肉部１９で延出部１５が破断可能とされているため、延出部１５が蓋部７の内側へ弾性変形しつつ首部６の外周面に嵌合される。このようにして、蓋部７の上壁２０が首部６の上端部に接触して首部６の上端部開口１６を閉塞し、蓋部７の延出部１５が蓋部７の内側へ弾性変形しつつ首部６の外周面に密着して蓋をすることができる。蓋がされた状態では、摘み部８の左右の下端部がそれぞれ、収容部３に形成された凹部９内に配置されている。
【００２８】
前述したように、首部６の上端部がテーパ状に絞られているため、その箇所における摘み部８の左右の下部同士の間Ａは、首部６の上端部を除いた箇所の外径よりも小さい。すなわち、摘み部８の略三角形状部２１の先端部間は、首部６の上端部を除いた箇所の外径よりも小さい。そして、蓋をした際、摘み部８の略三角形状部２１が、首部６に形成された凹部１４内面に当たる。このようにして、蓋部７は、首部６から抜けるのが規制されており、首部６から不意に抜けるのが防止される。
【実施例２】
【００２９】
図７から図１０は、本発明の薬液容器の実施例２を示す図であり、図７は正面図、図８は平面図、図９は斜視図、図１０は図７におけるＹ−Ｙ断面図である。図１１は、図８におけるＺ−Ｚ断面図であり、一部を拡大して示すと共に、一部を省略して示している。また、図１２および図１３は、図７の薬液容器の上部拡大断面図であり、図１２は開封された状態、図１３は開封後に蓋がされた状態を示している。本実施例２の薬液容器１も、基本的には前記実施例１と同様の構成である。そこで、以下においては、両者の異なる点を中心に説明し、対応する箇所には同一の符号を付して説明する。
【００３０】
本実施例の場合、首部６の外周面には、前記凹部１４よりも上方に、首部６にはめ込まれた蓋部７が抜けるのを規制する係止部２２が形成されている。本実施例の係止部２２は、首部６の外周面から径方向外側への突出部とされている。本実施例では、首部６の前後両側に、それぞれ二つの突出部２２，２２が左右に離隔して形成されている。
【００３１】
首部６の前側に形成される二つの突出部２２は、首部６の下方へ行くに従って径方向外側へ延出する傾斜面２３を有する断面略三角形状とされ、首部６の周方向に沿って形成されている。各突出部２２は、摘み部８の前面から首部６の周方向に沿って前方へ行くに従って、高さが徐々に高くなるように形成されている。左右の突出部２２，２２の間には、隙間２４が形成されており、この隙間２４は、首部６の左右方向略中央部に形成されている。一方、首部６の後側に形成される二つの突出部２２も、首部６の前側に形成される二つの突出部２２と同様に形成されている。
【００３２】
なお、本実施例では、収容部３は、上方へ開口した横断面略小判形の筒状とされ、上端部がテーパ状に絞られて先細りに形成されていると共に、下端部が円筒状に絞られて形成されている。収容部３の底面は、下方へ膨出した緩やかな球面状に形成されている。
【００３３】
本実施例の薬液容器１も、前記実施例１と同様にして、ベース４と摘み部８とが垂直に交差した状態で、蓋部７が首部６に上方からはめ込まれる。この際、摘み部８の左右の下部はそれぞれ、首部６の前後両側にそれぞれ形成された隙間２４を通される。これにより、蓋をする際に、突出部２２が邪魔になることがない。
【００３４】
また、首部６に蓋部７をはめ込む際、突出部２２の傾斜面２３の作用によって、蓋部７の延出部１５が突出部２２をスムーズに乗り越えることができる。蓋部７の延出部１５が突出部２２を乗り越えた後、延出部１５の先端部が突出部２２に当たり、蓋部７の上壁２０が首部６の上端部開口１６を閉塞する。このようにして、蓋部７は、突出部２２により首部６から抜けるのが規制されており、首部６から不意に抜けるのが防止される。さらに、延出部１５の先端部が突出部２２に当たり、容器本体部５に対して蓋部７が下方へ押し込まれる。これにより、蓋部７の上壁２０は、首部６の上端部開口１６に押し付けられる。従って、本実施例の薬液容器１では、首部６の上端部開口１６をより確実に閉塞することができる。
【００３５】
前記各実施例の薬液容器１によれば、首部６から切り離された蓋部７を用いて蓋をすることができるため、簡易な構成でリキャップすることができる。従って、前記各実施例の薬液容器１では、薬液２を数回に分けて使用して使い切ることができる。
【００３６】
本発明の薬液容器は、前記各実施例の構成に限らず、適宜変更可能である。たとえば、前記実施例２では、突出部２２は、断面略三角形状に形成されたが、断面半球状に形成してもよい。この場合も、蓋部７の延出部１５が突出部をスムーズに乗り越えることができる。
【００３７】
前記各実施例の薬液容器１は、線状の薄肉部を介して、左右方向に複数連接することができる。このようにすれば、多数の薬液容器１を同時に製造することができ、また携帯にも都合が良い。薬液容器１を複数連接する場合には、それぞれの薬液容器１を同一寸法に形成して、薬液容器１の左右側面に破断可能な薄肉部を設けるようにすると、全体が矩形となり、機能性、デザイン性に優れたものとすることができる。
【符号の説明】
【００３８】
１  薬液容器
２  薬液
３  収容部
４  ベース
５  容器本体部
６  首部
７  蓋部
８  摘み部
１５  延出部
１６  上端部開口
２０  上壁
２２  突出部（係止部）
２３  傾斜面
【図１】
0005485070.tif 000002
【図２】
0005485070.tif 000003
【図３】
0005485070.tif 000004
【図４】
0005485070.tif 000005
【図５】
0005485070.tif 000006
【図６】
0005485070.tif 000007
【図７】
0005485070.tif 000008
【図８】
0005485070.tif 000009
【図９】
0005485070.tif 000010
【図１０】
0005485070.tif 000011
【図１１】
0005485070.tif 000012
【図１２】
0005485070.tif 000013
【図１３】
0005485070.tif 000014